(57)【特許請求の範囲】
【請求項１】
乱数を発生させる乱数発生部と、
抽選的中の指定確率及び異なる指定試行回数を記憶する記憶部と、
前記異なる指定試行回数を選択する制御部と、
抽選開始信号を入力すると、前記指定確率を選択された前記指定試行回数で除した試行確率で、前記乱数が的中したか否かを判断し、この判断を選択された前記指定試行回数だけ繰り返し、一回以上的中したとき、抽選的中信号を出力する抽選部と、
を具備したことを特徴とする抽選装置。
【請求項２】
前記記憶部が、前記異なる指定試行回数における抽選的中結果を記録することを特徴とする請求項１記載の抽選装置。
【請求項３】
前記制御部が、抽選的中状況に応じて、前記指定試行回数を選択することを特徴とする請求項１又は２記載の抽選装置。
【請求項４】
前記抽選開始信号が、レジスターから出力されることを特徴とする請求項１〜３のいずれか一項に記載の抽選装置。
【請求項５】
抽選を行う抽選部に、
抽選開始信号を入力すると、抽選的中の指定確率及び指定試行回数を記憶する記憶部から、前記指定確率及び指定試行回数を入力し、前記指定確率を前記指定試行回数で除した試行確率で、前記乱数が的中したか否かを判断する的中条件を設定する手順、
乱数発生部に乱数を発生させ、当該乱数を入力させる手順、
入力した前記乱数に対して前記的中条件にもとづいて計算を行い、前記乱数が的中したか否かを判断し、的中しているときは的中回数を記憶する手順、
前記乱数が的中したか否かの判断の回数が、前記指定試行回数以上であるかを判断し、ＮＯのときは、新たに乱数を入力し的中したか否かを繰り返し判断する手順、
ＹＥＳのときは、前記的中があったか否かを判断し、前記的中があったとき、抽選的中信号を出力させ、前記的中がなかったとき、抽選不的中信号を出力させる手順
を実行させるための抽選プログラム。
【発明の詳細な説明】
【０００１】
【発明の属する技術分野】
本発明は、抽選装置及び抽選プログラムに関し、特に、指定確率と指定試行回数を用いて、指定された抽選的中確率に近い割合で、かつ、平準化されたタイミングで、抽選的中する抽選装置及び抽選プログラムに関する。
【０００２】
【従来の技術】
従来、抽選装置は、指定された抽選的中確率に対して、理論上実現可能な的中条件を設定するとともに、乱数発生装置に乱数を発生させ、この乱数に対して的中条件にもとづいて所定の演算を行い、演算された乱数が的中条件を満足する場合に抽選的中としていた。
【０００３】
上記抽選装置は、たとえば、抽選的中確率として１／１０を入力されると、演算された乱数の１桁目が「１」の場合に抽選的中となることを、的中条件として設定する。
【０００４】
つまり、この抽選装置は、乱数発生装置が、所定の桁数（通常、５桁又は６桁）の乱数を演算式により発生させると、この乱数に対して的中条件にもとづいた演算を行い、この演算により算出された乱数が的中条件を満足する場合に抽選的中とする。
【０００５】
ここで、的中条件にもとづいた演算は、たとえば、乱数に７を掛け算するとか、乱数を１０で割って余りを求めるといった演算であり、かかる場合、乱数に７を掛け算した数の１桁目が「１」であるとき、抽選的中となり、また、乱数を１０で割った余りが「１」であるとき、抽選的中となる。
これらの場合、抽選的中の判断対象となる数は、０から９までのランダムに出現する整数であることから、抽選的中の理論上の確率は、１／１０となる。
【０００６】
したがって、乱数発生装置を使用した抽選装置は、乱数が全くランダムに発生するものと仮定すると、その抽選結果は、抽選回数が多くなるにつれて指定された抽選的中確率に収束する。
【０００７】
ところで、上記抽選装置は、的中条件にもとづいた演算を行わず、乱数発生装置が発生させた乱数をそのまま使用しても、その抽選結果は、抽選回数が多くなるにつれて指定された抽選的中確率に収束する。
また、乱数発生装置が全くランダムに乱数を発生させるものと仮定すると、上記抽選装置は、人為的でないタイミングで抽選的中を発生させることができ、作為的なものを排除し公正な抽選を行うことができる。
【０００８】
【発明が解決しようとする課題】
しかしながら、上記抽選装置は、乱数発生装置が全くランダムに乱数を発生させることを前提としているが、乱数発生装置は、所定の演算式にもとづいて乱数を発生させるため、乱数に周期性が現れる場合がある。
このように、乱数に周期性が現れると、抽選装置は、指定した確率を越えて頻繁に抽選的中したり、指定した確率が零でないかと疑われるほど連続して抽選不的中となるといった問題があった。
【０００９】
つまり、抽選者は、指定された抽選的中確率が１／１０であることを知れば、１０回抽選したら１回的中することを期待するものである。また、仮に、自分が的中しなくても、ほぼ１０回に１回的中していれば納得することができる。
これに対し、乱数に周期性が現れ、抽選的中確率を１／１０に指定しているにもかかわらず、たとえば、連続５回以上的中したり、連続５０回以上不的中だったりすると、抽選者の期待感を裏切る結果となる。
【００１０】
本発明は、上記の問題を解決すべくなされたものであり、指定された抽選的中確率に近い割合で、かつ、平準化されたタイミングで抽選的中する抽選装置及び抽選プログラムの提供を目的としている。
【００１１】
【課題を解決するための手段】
この目的を達成するため、本発明の抽選装置は、乱数を発生させる乱数発生部と、抽選的中の指定確率及び異なる指定試行回数を記憶する記憶部と、前記異なる指定試行回数を選択する制御部と、抽選開始信号を入力すると、前記指定確率を選択された前記指定試行回数で除した試行確率で、前記乱数が的中したか否かを判断し、この判断を選択された前記指定試行回数だけ繰り返し、一回以上的中したとき、抽選的中信号を出力する抽選部と、を具備した構成としてある。
【００１２】
このようにすることにより、乱数に周期性が現れた場合であっても、指定された抽選的中確率を変更することなく、指定された確率に近い割合で、かつ、平準化されたタイミングで抽選的中させることができる。また、乱数の周期性の悪影響を効率良く低減することができる。
【００１３】
また、好ましくは、前記記憶部が、前記異なる指定試行回数における抽選的中結果を記録するとよい。
このようにすることにより、各指定試行回数における抽選的中結果を統計的に把握することができる。
【００１４】
また、好ましくは、前記制御部が、抽選的中状況に応じて、前記指定試行回数を選択するとよい。
このようにすることにより、乱数の周期性の悪影響をより効率良く低減することができる。
なお、このように、抽選的中状況に応じて、指定試行回数を選択しても、あくまでも、指定された抽選的中確率を変更していないので、恣意的に抽選的中確率を操作していないことは勿論である。
【００１５】
また、好ましくは、前記抽選開始信号が、レジスターから出力されるとよい。  このようにすることにより、支払いを済ませた客は、抽選するための煩わしい動作を行わなくても、自動的に抽選を行うことができる。
【００１６】
また、上記目的を達成するため、本発明の抽選プログラムは、抽選を行う抽選部に、抽選開始信号を入力すると、抽選的中の指定確率及び指定試行回数を記憶する記憶部から、前記指定確率及び指定試行回数を入力し、前記指定確率を前記指定試行回数で除した試行確率で、前記乱数が的中したか否かを判断する的中条件を設定する手順、乱数発生部に乱数を発生させ、当該乱数を入力させる手順、入力した前記乱数に対して前記的中条件にもとづいて計算を行い、前記乱数が的中したか否かを判断し、的中しているときは的中回数を記憶する手順、前記乱数が的中したか否かの判断の回数が、前記指定試行回数以上であるかを判断し、ＮＯのときは、新たに乱数を入力し的中したか否かを繰り返し判断する手順、ＹＥＳのときは、前記的中があったか否かを判断し、前記的中があったとき、抽選的中信号を出力させ、前記的中がなかったとき、抽選不的中信号を出力させる手順を実行させる構成としてある。
【００１７】
このように、本発明は、抽選プログラムとしても有効であり、乱数に周期性が現れた場合であっても、抽選的中の指定確率を変更することなく、指定された抽選的中確率に近い割合で、かつ、平準化されたタイミングで抽選的中させることができる。
【００１９】
【発明の実施の形態】
以下、本発明の各実施形態について、図面を参照して説明する。
まず、本発明の抽選装置を実現する実施形態について説明する。
【００２０】
［抽選装置］
図１は、本発明に係る抽選装置の実施形態の基本構成を説明するための概略ブロック図を示している。
同図において、抽選装置１は、乱数発生部２と、記憶部３と、抽選部４と、制御部５とからなっている。
【００２１】
乱数発生部２は、抽選部４と接続されており、所定の桁数（通常、５桁又は６桁）の乱数を演算式により発生させる。
したがって、乱数の各桁には、０から９までの整数がランダムに選択される。この乱数発生部２は、別個独立の装置を用いることもできるが、一般に、乱数発生プログラムを実行させることにより、乱数を発生させる。
【００２２】
記憶部３は、抽選部４及び制御部５と接続されており、制御部５から入力した抽選的中の指定確率ｍ及び指定試行回数ｎを記憶する。
ここで、「指定確率ｍ」とは、通常、抽選装置１のオペレータなどによって入力され、１／ｍ回に１回的中するといった確率をいう。
また、「指定試行回数ｎ」とは、一回の抽選に対して、通常、一つの乱数を発生させ、この乱数が的中しているか否かを判断するといったワンサイクルの試行を行う回数をいう。
なお、記憶部３は、通常、磁気ＤＩＳＫ装置が用いられるが、記憶装置であればよく、磁気ＤＩＳＫ装置に限定されるものでないことは勿論である。
【００２３】
抽選部４は、乱数発生部２，記憶部３及び制御部５と接続され、制御部５を経由して外部から抽選開始信号を入力すると、記憶部３から指定確率ｍ及び指定試行回数ｎを入力し、指定確率ｍを指定試行回数ｎで除した試行確率ｍ／ｎで、乱数が的中したか否かを判断し、この判断を指定試行回数ｎだけ繰り返し、一回以上的中したとき、抽選的中信号を出力する。
【００２４】
次に、抽選部４の構成を理解しやすいように、具体例を挙げて説明する。
まず、指定確率ｍを０．１とすると、理論上の確率では、抽選回数１０回（＝１／０．１）に１回的中することとなる。
【００２５】
仮に、指定試行回数ｎ＝１の場合、たとえば、乱数の１桁目が「１」のとき抽選的中するといった的中条件を設定する。
これにより、指定確率ｍ１は、ｍ１＝１／１０＝０．１となる。
【００２６】
これに対し、仮に、指定試行回数ｎ＝１００の場合、たとえば、乱数の下３桁が「００１」のとき抽選的中とするといった的中条件を設定し、乱数を１００回発生させ、的中したか否かを１００回判断する。すなわち、乱数を一つ発生させこの乱数が的中したか否かを判断するといった試行を１００回行う。
なお、この１００回の試行のうち１回でも的中すれば、抽選装置１は、抽選的中と判断して抽選的中信号を出力する。
【００２７】
ここで、１回の試行における的中条件は、指定確率ｍ１の確率ではなく、指定確率ｍ１を指定試行回数ｎで除算した確率ｍ１／ｎ＝０．００１となる。
しかし、１回の抽選として、この試行を１００回行うので、抽選指定確率ｍ２は、ｍ２＝１００×０．００１＝０．１となる。
【００２８】
つまり、指定試行回数ｎが１回でも１００回でも、抽選装置１の抽選指定確率は、指定試行回数ｎにかかわらず、ｍ１＝ｍ２となるので、確率論的には、全く同じ条件であり、恣意的に抽選的中確率を操作していることにはならない。
ところで、確率論的には、指定試行回数ｎ＝１００とし、乱数を１００回発生させて、１００個の乱数に対して的中するか否かを判断することは、何の効果も発生させないばかりか、時間とエネルギーを浪費することとなる。
【００２９】
ところが、乱数発生部２が発生させる乱数に周期性が現われることがある。
この周期性の例としては、たとえば、１回目から５０回目までに発生させた乱数の１桁目が「１」とならないのに対し、５１回目から１００回までに発生させた乱数の１桁目が１０回も「１」となるといった傾向を示し、さらに、この傾向が、５０回ごとに繰り返されることがある。
【００３０】
これに対し、上記傾向を示す乱数発生部２であっても、乱数を１０００回まで発生させてみると、下３桁が「００１」の乱数が周期性なく現れる。
つまり、本実施形態の抽選装置１は、試行確率ｍ／ｎで、ｎ回乱数を発生させて的中したか否かを判断することにより、指定された抽選的中確率に近い確率で、かつ、平準化されたタイミングで抽選的中させることができる。
なお、乱数は、乱数発生部２が発生させた乱数をそのまま使用しても、あるいは、この乱数に対してあらかじめ決められた所定の演算を行い、この演算により算出された乱数を使用してもよい。
【００３１】
次に、上記のように構成された抽選装置１の抽選動作について、図面を参照して説明する。
図２は、本発明に係る抽選装置の抽選動作を説明するための概略フローチャート図を示している。
同図において、抽選装置１は、抽選開始信号を入力すると、抽選部４が、あらかじめ記憶部３に記憶されている指定確率ｍ及び指定試行回数ｎを入力し（ステップＳ１）、上述したように的中条件を設定する。
【００３２】
次に、抽選部４は、乱数発生部２より一つの乱数を入力し（ステップＳ２）、的中条件にもとづいて、入力した乱数が的中したか否かを判断する（ステップＳ３）。
ここで、抽選部４は、的中があったとき（ＹＥＳのとき）、的中回数を記憶ししてから（ステップＳ４）、次のステップＳ５に進む。また、的中がなかったとき（ＮＯのとき）は、そのまま、次のステップＳ５に進む。
なお、一つの乱数に対して、的中したか否かの判断を行うことは、指定試行回数ｎにおける一回の試行を行ったこととなる。
【００３３】
次に、抽選部４は、試行回数ｘが指定試行回数ｎ以上であるかを判断する（ステップＳ５）。
ここで、抽選部４は、試行回数ｘが指定試行回数ｎより少ないとき（ＮＯのとき）、新たに乱数発生部２から一つの乱数を入力し（ステップＳ２）、この乱数が的中したか否かを判断する（ステップＳ３）。
そして、抽選部４は、試行回数ｘが指定試行回数ｎ以上となるまで、この動作を繰り返す。
【００３４】
そして、試行回数ｘが指定試行回数ｎ以上となるとき（ＹＥＳのとき）、抽選部４は、指定試行回数ｎの間に、的中があったか否かを判断する（ステップＳ６）。
ここで、抽選部４は、的中があったとき（ＹＥＳのとき）、抽選的中信号を出力し（ステップＳ７）、的中がなかったとき（ＮＯのとき）、抽選不的中信号を出力する（ステップＳ８）。
【００３５】
以上説明したように、本実施形態の抽選装置１は、乱数に周期性が現れた場合であっても、指定された抽選的中確率を変更することなく、指定された確率値に近い割合で、かつ、平準化されたタイミングで抽選的中させることができる。
【００３６】
なお、本発明の抽選装置は、上記構成の抽選装置１に限定されるものではなく、様々な応用例を有している。
たとえば、記憶部３が指定確率ｍと複数の異なる指定試行回数ｎ１，ｎ２，…を記憶しており、制御部５が複数の異なる指定試行回数ｎ１，ｎ２，…のなかから、いずれか一つの指定試行回数を選択する構成としてもよい。
このようにすることにより、乱数の周期性が複数パターンある場合であっても、各パターンに応じた指定試行回数を選択できるので、周期性の悪影響を効率良く低減することができる。
【００３７】
また、記憶部３が、異なる指定試行回数における抽選的中結果を記録する構成としてもよい。
これにより、各指定試行回数における抽選的中結果を統計的に把握することができるので、抽選装置のオペレータは、周期性の悪影響を効果的に低減する指定試行回数を設定することができる。
【００３８】
また、制御部５が、抽選的中状況に応じて、指定試行回数を選択する、すなわち、所定回数の抽選における的中状況が、指定確率を下回っているときは、乱数の周期性に起因して的中しやすい指定試行回数を選択し、逆に、指定確率を上回っているときは、乱数の周期性に起因して的中しにくい指定試行回数を選択する構成としてもよい。
このようにすることにより、乱数の周期性の悪影響をより効率良く低減し、抽選的中するタイミングを平準化することができる。
【００３９】
なお、制御部５が抽選的中状況に応じて、指定試行回数を選択しても、あくまでも、指定された抽選的中確率を変更していないので、恣意的に当る確率を操作していないことは勿論である。
【００４０】
また、抽選装置１は、たとえば、レジスターから出力される抽選開始信号を入力すると、自動的に抽選を行う構成としてもよい。
このようにすることにより、レジスターで支払いを済ませた顧客は、抽選するための煩わしい動作を行わなくても、自動的に抽選を行うことができる。
【００４１】
［抽選プログラム］
本発明は、抽選プログラムとしても有効である。
抽選装置１は、一般的に、プログラム制御により動作するコンピュータと、記憶部としての磁気ＤＩＳＫ装置とで構成される。
そして、抽選プログラムは、コンピュータを全体的に制御したり、乱数を発生させたりして、抽選を実行する。
【００４２】
つまり、抽選プログラムは、抽選部４に、抽選開始信号を入力すると、抽選的中の指定確率ｍ及び指定試行回数ｎを記憶する記憶部３から、指定確率ｍ及び指定試行回数ｎを入力し、指定確率ｍを指定試行回数ｎで除した試行確率ｍ／ｎで、乱数が的中したか否かを判断する的中条件を設定する手順、乱数発生部２に乱数を発生させ、当該乱数を入力させる手順、入力した乱数に対して的中条件にもとづいて計算を行い、乱数が的中したか否かを判断し、的中しているときは的中回数を記憶する手順、乱数が的中したか否かの判断の回数が、指定試行回数以上であるかを判断し、ＮＯのときは、新たに乱数を入力し的中したか否かを繰り返し判断する手順、ＹＥＳのときは、的中があったか否かを判断し、的中があったとき、抽選的中信号を出力させ、的中がなかったとき、抽選不的中信号を出力させる手順を実行させる構成としてある。
【００４３】
そして、この抽選プログラムにより制御された抽選装置１は、上記各手順を実行する。
このように、本発明は、抽選プログラムとしても有効であり、乱数に周期性が現れた場合であっても、指定された抽選的中確率を変更することなく、指定された確率値に近い割合で、かつ、平準化されたタイミングで抽選的中させることができる。
なお、本発明は、抽選装置として説明したが、抽選プログラムとしても、同様の効果を発揮できることは勿論である。
【００４４】
以上、本発明の抽選装置及び抽選プログラムについて、好ましい実施形態を示して説明したが、本発明に係る抽選装置及び抽選プログラムは、上述した実施形態に限定されるものではなく、本発明の範囲で種々の変更実施が可能であることは言うまでもない。
たとえば、指定試行回数ｎは、通常、抽選装置の所有者などによって入力されるが、これに限定されるものではなく、たとえば、レジスターからの支払金額情報にもとづいて、抽選装置が自動的に設定する構成としてもよい。
【００４５】
【発明の効果】
以上説明したように、本発明の抽選装置及び抽選プログラムによれば、１回の抽選に対して複数回の試行を行うことにより、乱数の周期性の悪影響を低減することができるので、指定された抽選的中確率に近い割合で、かつ、平準化されたタイミングで抽選的中させることができる。
【図面の簡単な説明】
【図１】図１は、本発明に係る抽選装置の実施形態の基本構成を説明するための概略ブロック図を示している。
【図２】図２は、本発明に係る抽選装置の抽選動作を説明するための概略フローチャート図を示している。
【符号の説明】
１  抽選装置
２  乱数発生部
３  記憶部
４  抽選部
５  制御部
６  コンピュータ
【図１】
0003912175.tif 000002
【図２】
0003912175.tif 000003